(57)【特許請求の範囲】
【請求項１】
それぞれ、入力するアナログのオーディオ信号のレベルを第１パラメータに基づき制御し、ディジタルのオーディオ信号に変換する複数の入力ポートと、
第１のユーザ操作に応じて、前記複数の入力ポートの各々の前記第１パラメータを調整する第１設定手段と、
前記複数の入力ポートの各々について、複数のチャンネルのうちの任意のチャンネルに対して、当該入力ポートから供給されるディジタルのオーディオ信号を割り当てて供給する割当手段と、
それぞれ、前記供給されるオーディオ信号の特性やレベルを、各種パラメータに基づき制御する信号処理を施して出力する前記複数のチャンネルであって、前記信号処理として該供給されるオーディオ信号のレベルを第２パラメータに基づいて制御するレベル制御部を有する複数のチャンネルと、
第２のユーザ操作に応じて、前記複数チャンネルの各々の前記第２パラメータを調整する第２設定手段と、
前記複数チャンネルの各々について、第３パラメータがオンのとき、当該チャンネルに割り当てられた前記入力ポートの第１パラメータが前記第１設定手段により調整されたことに応じて、当該チャンネルの前記第２パラメータを前記第１パラメータの調整により前記入力ポートにおいて生じるレベル変化を打ち消す方向に自動調整する自動調整手段と、
第３のユーザ操作に応じて、前記複数のチャンネルの各々の前記第３パラメータのオン／オフを設定する第３設定手段と
を具えるミキシング装置。
【請求項２】
それぞれ、入力するアナログのオーディオ信号のレベルを第１パラメータに基づき制御し、ディジタルのオーディオ信号に変換する複数の入力ポートと、前記複数の入力ポートの各々について、複数のチャンネルのうちの任意のチャンネルに対して、当該入力ポートから供給されるディジタルのオーディオ信号を割り当てて供給する割当手段と、それぞれ、前記供給されるオーディオ信号の特性やレベルを、各種パラメータに基づき制御する信号処理を施して出力する前記複数のチャンネルであって、前記信号処理として該供給されるオーディオ信号のレベルを第２パラメータに基づいて制御するレベル制御部を有する複数のチャンネルとを具えるミキシング装置において、コンピュータに、
第１のユーザ操作に応じて、前記複数の入力ポートの各々の前記第１パラメータを調整する第１設定手順と、
第２のユーザ操作に応じて、前記複数チャンネルの各々の前記第２パラメータを調整する第２設定手順と、
前記複数チャンネルの各々について、第３パラメータがオンのとき、当該チャンネルに割り当てられた前記入力ポートの第１パラメータが前記第１設定手順により調整されたことに応じて、当該チャンネルの前記第２パラメータを前記第１パラメータの調整により前記入力ポートにおいて生じるレベル変化を打ち消す方向に自動調整する自動調整手順と、
第３のユーザ操作に応じて、前記複数のチャンネルの各々の前記第３パラメータのオン／オフを設定する第３設定手順
を実行させるプログラム。
【発明の詳細な説明】
【技術分野】
【０００１】
この発明は、オーディオ信号のミキシングを行うミキシング装置及びそのプログラムに関する。
【背景技術】
【０００２】
周知のとおり、ミキサ（ミキシング装置）は、所定の複数のミキシングバスを有し、該ミキシングバスにおいて複数のオーディオ信号を任意の音量レベルで混合する装置である。また、ディジタルミキサはディジタル信号処理によってミキシング処理や効果付与等のミキシング装置における各種動作を行う装置である。ディジタルミキサにおいて、複数の入力ポートから入力される楽音やディジタルオーディオ信号などのオーディオ信号は所定の複数の入力系チャンネルのうちの任意のチャンネルに割り当てて供給される。各入力系チャンネルは、当該チャンネルに割り当てられた信号の特性やレベルを調整した後に、この信号を任意のミキシングバスに供給する。各ミキシングバスは、供給された複数のディジタル信号をミキシングし、該ミキシングされた信号を各ミキシングバスに対応する出力系チャンネルへ供給する。出力系チャンネルでは、供給されたディジタル信号の特性やレベルを調整し、これを外部に出力する。この種のディジタルオーディオミキサの一例として、本出願人が発売するディジタルミキサ：製品名「ＰＭ１Ｄ」がある（例えば、下記非特許文献１参照）。
この明細書中では、入力ポートの信号を各入力系チャンネルに割り当てること或いは出力系チャンネルの出力信号を各出力ポートに割り当てることを「パッチ」といい、その設定データを「パッチデータ」と称する。入力ポートから供給される信号の入力系チャンネルに対する信号の割り当て（パッチ）は「入力パッチ」によって行なわれ、また、出力系チャンネルから出力される信号の出力ポートに対する割り当て（パッチ）は「出力力パッチ」によって行なわれる。
【非特許文献１】http://www2.yamaha.co.jp/manual/pdf/pa/japan/mixers/PM1D_ManagerJ.pdf
【０００３】
上記製品名「ＰＭ１Ｄ」等のディジタルミキサには、アナログオーディオ信号を入力するためのアナログ入力ポートや、ディジタルオーディオ信号を入力するためのディジタル入力ポートなど、複数の入力ポートが具備される。
アナログ入力ポートにはゲイン可変アンプとＡＤ変換器が具備されている。入力ポートに入力されたアナログ信号はその振幅レベルをゲイン可変アンプにて適宜調整された後にＡＤ変換器によりディジタル信号に変換される。そして、ディジタル変換された信号が入力パッチを介して当該アナログ入力ポートのパッチ先の入力系チャンネルに供給される。また、ディジタル入力ポートは、ＡＥＳ／ＥＢＵ，ＡＤＡＴ，ＴＤＩＦなど各種規格のオーディオ用ディジタルＩ／Ｏや、Ｃｏｂｒａｎｅｔ（ＴＭ），ｍＬＡＮ（ＴＭ）などのオーディオネットワークＩ／Ｏによって構成されるものであり、これは１本のケーブルで複数のディジタルオーディオ信号を入力しうる。
【０００４】
ユーザは、アナログ入力ポートのゲイン制御機構により、ＡＤ変換後のディジタル信号のレベルが小さ過ぎず、且つ、ＡＤ変換器に対する過大入力やゲインのとり過ぎによって信号がクリップしないよう最適なレベルに調整できる。しかし、アナログ入力ポートのゲイン調整を行うと、当該アナログ入力ポートのパッチ先となる入力系チャンネルで処理する信号、すなわち、パッチ先の入力系チャンネルを経由してミキシングパスに供給される信号のレベルが変化してしまい、信号のミキシングレベルの比率に影響が出てしまう。
各入力系チャンネルの入力段には、当該チャンネルに入力される信号のレベルを減衰又は増幅するアッテネータというレベル制御機構が装備されている。アッテネータは当該入力系チャンネルが受けるオーディオ信号のレベルを、後段に設けられたＥＱ等の効果を考慮しつつ適宜に調整するために設けられている。
前記アナログ入力ポートのゲイン調整を行った場合に、例えば、該アナログ入力ポートのパッチ先となる入力系チャンネルのアッテネータが前記ゲイン調整による変化を打ち消すように調整されれば、信号のミキシング比は変化しない。しかしながら、従来の装置においては、入力ポートのゲイン調整と入力系チャンネルのアッテネータの調整との相互の連動について考慮されていなかったので、この調整はユーザの手作業によって行なわれていた。一方で、入力ポートのゲイン調整と入力系チャンネルのアッテネータ調整とを自動的に連動させる構成を考えるに、前述の通り、入力ポートと入力系チャンネルとは入力パッチを介して任意に結線され、且つ、１つの入力ポートから複数のパッチ先の入力系チャンネルに結線される場合もある。また、アッテネータの調整に応じて入力ポートのゲイン調整が行なわれてしまうことは、上述のアッテネータの目的に鑑みて不合理である。よって、入力ポートのゲイン調整と入力系チャンネルのアッテネータ調整とを単純に相互連動させるだけの構成では不十分である。
【発明の開示】
【発明が解決しようとする課題】
【０００５】
この発明は、上述の点に鑑みてなされたもので、入力ポートのゲイン調整を行った場合にも、当該入力ポートのパッチ先の入力チャンネルでの信号処理や、各入力チャンネルからミキシングバスに供給される信号のミキシング比に影響を与えないようにしたディジタルミキサを提供することを目的としている。
【課題を解決するための手段】
【０００６】
この発明は、それぞれ、入力するアナログのオーディオ信号のレベルを第１パラメータに基づき制御し、ディジタルのオーディオ信号に変換する複数の入力ポートと、第１のユーザ操作に応じて、前記複数の入力ポートの各々の前記第１パラメータを調整する第１設定手段と、前記複数の入力ポートの各々について、複数のチャンネルのうちの任意のチャンネルに対して、当該入力ポートから供給されるディジタルのオーディオ信号を割り当てて供給する割当手段と、それぞれ、前記供給されるオーディオ信号の特性やレベルを、各種パラメータに基づき制御する信号処理を施して出力する前記複数のチャンネルであって、前記信号処理として該供給されるオーディオ信号のレベルを第２パラメータに基づいて制御するレベル制御部を有する複数のチャンネルと、第２のユーザ操作に応じて、前記複数チャンネルの各々の前記第２パラメータを調整する第２設定手段と、前記複数チャンネルの各々について、第３パラメータがオンのとき、当該チャンネルに割り当てられた前記入力ポートの第１パラメータが前記第１設定手段により調整されたことに応じて、当該チャンネルの前記第２パラメータを前記第１パラメータの調整により前記入力ポートにおいて生じるレベル変化を打ち消す方向に自動調整する自動調整手段と、第３のユーザ操作に応じて、前記複数のチャンネルの各々の前記第３パラメータのオン／オフを設定する第３設定手段とを具えるミキシング装置である。
【０００７】
また、この発明は、それぞれ、入力するアナログのオーディオ信号のレベルを第１パラメータに基づき制御し、ディジタルのオーディオ信号に変換する複数の入力ポートと、前記複数の入力ポートの各々について、複数のチャンネルのうちの任意のチャンネルに対して、当該入力ポートから供給されるディジタルのオーディオ信号を割り当てて供給する割当手段と、それぞれ、前記供給されるオーディオ信号の特性やレベルを、各種パラメータに基づき制御する信号処理を施して出力する前記複数のチャンネルであって、前記信号処理として該供給されるオーディオ信号のレベルを第２パラメータに基づいて制御するレベル制御部を有する複数のチャンネルとを具えるミキシング装置において、コンピュータに、第１のユーザ操作に応じて、前記複数の入力ポートの各々の前記第１パラメータを調整する第１設定手順と、第２のユーザ操作に応じて、前記複数チャンネルの各々の前記第２パラメータを調整する第２設定手順と、前記複数チャンネルの各々について、第３パラメータがオンのとき、当該チャンネルに割り当てられた前記入力ポートの第１パラメータが前記第１設定手順により調整されたことに応じて、当該チャンネルの前記第２パラメータを前記第１パラメータの調整により前記入力ポートにおいて生じるレベル変化を打ち消す方向に自動調整する自動調整手順と、第３のユーザ操作に応じて、前記複数のチャンネルの各々の前記第３パラメータのオン／オフを設定する第３設定手順を実行させるプログラムである。
【発明の効果】
【０００８】
この発明によれば、複数チャンネルの各々について、第３パラメータがオンのとき、当該チャンネルに割り当てられた入力ポートの第１パラメータが第１設定手段により調整されたことに応じて、当該チャンネルの第２パラメータを前記第１パラメータの調整により前記入力ポートにおいて生じるレベル変化を打ち消す方向に自動調整できる。従って、入力ポートにおいて、入力するアナログのオーディオ信号のレベルを調整した場合であっても、各チャンネルにおけるディジタルのオーディオ信号のミキシング比に影響をあたえないという優れた効果を奏する。
【発明を実施するための最良の形態】
【０００９】
以下添付図面を参照して、この発明の一実施例について説明する。
【００１０】
図１は、この実施例に係るディジタルミキサの電気的ハードウェア構成を示すブロック図である。ディジタルミキサは、ＣＰＵ１、フラッシュメモリ２、ＲＡＭ３、信号処理回路（ＤＳＰ）４、波形入出力インターフェース（波形Ｉ／Ｏ）５、表示器６、各種操作子７、電動フェーダ８、レベルメータ９、イーサネットインターフェース（ＥｔｈｅｒｎｅｔＩ／Ｏ）１０、その他インターフェース（その他Ｉ／Ｏ）１１を含み、各装置間がバス１Ｂを介して接続される。ＣＰＵ１、フラッシュメモリ２及びＲＡＭ３を含むマイクロコンピュータは、フラッシュメモリ２又はＲＡＭ３に記憶された制御プログラムを実行し、当該ミキサの全体的な動作制御を行う。ＤＳＰ４は、当該ミキサのディジタル信号処理を担うエンジンであり、波形Ｉ／Ｏ５を介して供給されるディジタルオーディオ信号に対して、ＣＰＵ１から与えられる指示に基づき信号処理を施し、また、その信号処理の結果として生成された信号を波形Ｉ／Ｏ５を介して外部に出力する。表示器６、各種操作子７、電動フェーダ８及びレベルメータ９は、ディジタルオーディオミキサの操作パネル上に配設されるユーザインターフェースである。ユーザは、各種操作子７や電動フェーダ８を使用して、ミキシング処理に関する各種指示操作すなわち各種パラメータの設定や各種機能の起動指示等を行うことができる。また、電動フェーダ８には、フェーダつまみの操作位置を自動制御するためのモータが内蔵されており、ＣＰＵ１から与えられる駆動信号に基づきつまみの操作位置が自動的に制御される。また、ユーザは、表示器６に当該ミキサが有する各種機能に応じた表示画面を呼び出し、該表示画面上のＧＵＩを使用して当該ミキサ全体の設定や各種機能毎のパラメータの設定等を行うことができる。レベルメータ９は、例えば発光ＬＥＤ等で構成され、ＤＳＰ４に供給されたオーディオ信号の所定のパラメータ（音量やエフェクタの効き具合など）についてレベル表示する装置である。
波形Ｉ／Ｏ５は、アナログ入力、アナログ出力及びディジタル入出力の各インターフェースを含む。アナログ入力されたアナログオーディオ信号はディジタル変換された後にＤＳＰ４に供給され、また、ＤＳＰ４から出力されるディジタルオーディオ信号は波形Ｉ／Ｏ５を介してアナログ変換された後にアナログ出力される。また、ミキサは波形Ｉ／Ｏ５を介して接続したの音響機器との間でディジタル信号の送受信を行うこともできる。
また、ミキサはＥｔｈｅｒｎｅｔＩ／Ｏ１０を介してＬＡＮネットワークに接続してよい。該ネットワーク上の他のコンピュータは、当該ミキサを遠隔制御するためのソフトウェアプログラムを実行することで、ミキサの全体的な動作を外部機器から遠隔制御したり、ミキサの動作状況等を自機のディスプレイに表示すること等ができる。なお、ミキサには上記の他にも適宜のインターフェース（その他Ｉ／Ｏ１１）が具備されてよい。
【００１１】
また、フラッシュメモリ２或いはＲＡＭ３には、当該ミキサの現在の設定状態を記録するカレントメモリ領域が設けられている。カレントメモリ領域に記録されるデータの内容は、ＤＳＰ４で実行する信号処理の各種パラメータ設定などミキシング処理に関してユーザが設定した各種動作データである。言い換えれば、ＤＳＰ４はカレントメモリ領域に記録された動作データ（パラメータの設定値等）に基づき信号処理を行なっている。パラメータ設定値等が変更されると、カレントメモリ領域における該変更に対応するデータが変更内容（操作量等）に応じて更新され、該更新の結果がＤＳＰ４における信号処理に反映される。
また、フラッシュメモリ２には、「シーンメモリ領域」が設けられている。シーンメモリ領域には、ミキサの或る設定状態（各種パラメータ設定状態等）に応じた各種動作データから成るシーンデータが複数種類保管されている。ユーザは、ミキサの現在の設定状態をシーンデータとしてシーンメモリ領域に保管（ストア）でき、また、シーンメモリ領域に保管されている任意のシーンデータを読み出すことで、該読み出したシーンデータの内容に応じて、現在のミキサの設定状態を一斉に切り換えて、シーンデータとして保管された或るミキシング状態（シーン）を自動的に再現する（リコールする）ことができる。
【００１２】
図２は図１のディジタルオーディオミキサの操作パネル（ミキシングコンソール）の要部を抽出して示す概略外観図である。図２において、操作パネル上には、表示器６、チャンネルストリップセクション１２、シーンメモリ制御部１３等が配備されている。図示の種々の操作子（スイッチ等）は図１の各種操作子７に相当する。
チャンネルストリップセクション１２には、複数のチャンネルストリップＣＨが具わる。この実施例では、チャンネルストリップセクション１２には、１２個のチャンネルストリップＣＨ１，ＣＨ２，ＣＨ３・・・が具備されるものとする。各チャンネルストリップＣＨには、信号のレベルを調整する電動フェーダ８やノブ型操作子１４等のように、当該ストリップＣＨに割り当てられたチャンネルに入力されるディジタル信号の特性やレベルを調整するための操作子や、当該チャンネルを図示外のセレクテッドチャンネルセクション（当該チャンネルの機能を詳細に展開するモジュール）に立ち上げる指示や、当該チャンネルを他のチャンネルとのペアに設定する指示を行うＳＥＬスイッチ１５、当該チャンネルのオン／オフ設定を行うＯＮスイッチ１６、ＣＵＥ（選択したチャンネルの音をモニタする機能）のオン／オフ設定を行うＣＵＥスイッチ１７等を含む。
ユーザはチャンネル割当スイッチ１８ａ，１８ｂ及び１８ｃを用いて、チャンネルストリップセクション１２の各チャンネルストリップＣＨに対して入力系チャンネル又は出力系チャンネルを割り当てることができる。この実施例では、ミキサのチャンネル構成は、２４チャンネルの入力チャンネル（入力ｃｈ）と８チャンネルの出力チャンネル（出力ｃｈ）と１チャンネルのステレオ出力チャンネル（ＳＴ出力ｃｈ）とを装備するものとする。チャンネル割当スイッチ１８ａ「マスタ１」により、出力ｃｈ１〜ｃｈ８と１つのＳＴ出力ｃｈを９つのチャンネルストリップＣＨにそれぞれ割り当て、また、チャンネル割当スイッチ１８ｂ「レイヤ１」により、入力ｃｈ１〜ｃｈ１２を１２個の各チャンネルストリップＣＨに割り当て、また、チャンネル割当スイッチ１８ｃ「レイヤ２」により、入力ｃｈ１３〜ｃｈ２４を１２個の各チャンネルストリップＣＨに割り当てる。
また、シーンメモリ制御部１３には、シーン番号表示部１３ａ、シーンストアスイッチ（「ＳＴＯＲＥ」）１３ｂ、シーンリコールスイッチ（「ＲＥＣＡＬＬ」）１３ｃ、シーン選択スイッチ（「ＵＰ」，「Ｄｏｗｎ」）が具わる。シーン番号表示部１３ａには、ストアやリコールの対象としてユーザが選択したシーンデータの番号が表示される。シーン選択スイッチ（「ＵＰ」，「Ｄｏｗｎ」）１３ｄは、シーン番号表示部１３ａに表示される番号を増減させるスイッチであり、これを用いてストアやリコールの対象として任意のシーン番号を選択する。シーンリコールスイッチ（「ＲＥＣＡＬＬ」）１３ｃは、シーン選択スイッチ１３ｄにより選択された番号に対応するシーンデータをシーンメモリ領域から読み出して、リコールするために使用される。また、シーンストアスイッチ（「ＳＴＯＲＥ」）１３ｂは、シーン選択スイッチ１３ｄで選択した番号のシーンデータとしてミキサの現在のパラメータ設定状態（カレントシーン）をストアするために使用される。
また、図２の操作パネルには、各種機能のオン・オフスイッチ、ロータリエンコーダ、インクリメントスイッチ、デクリメントスイッチ、カーソルキー、エンター（確定）キーなど各種操作子１９が描かれている。ユーザは、これら操作子１９を用いて表示器６に表示された表示画面上の操作インターフェースを制御して、パラメータ設定等の各種操作を行う。
【００１３】
図３（ａ）は、この実施例に係るディジタルミキサにおいてＤＳＰ４が実行する信号処理の構成の概略を示すブロック図である。ディジタルミキサには、アナログオーディオ信号を入力するためのアナログ入力ポート（Ａ入力）２０及びディジタルオーディオ信号を入力するためのディジタル入力ポート（Ｄ入力）２１がそれぞれ複数個ずつ具わる。図３（ｂ）はアナログ入力ポート２０の詳細構成を示す図である。（ｂ）において、Ａ入力２０は、入力されたアナログオーディオ信号を増幅するためのヘッドアンプ２００と、該ヘッドアンプ２００のゲインを調整するゲイン調整器２０１と、ヘッドアンプ２００の出力をディジタル変換するためのＡＤ変換器２０２を具備し、外部から供給されるアナログオーディオ信号（マイク入力やライン入力など）を取り込む。Ａ入力２０においては、ゲイン調整器２０１を用いてヘッドアンプ２００のゲインを調整して、ＡＤ変換器２０２に対する信号入力レベルを適宜制御できる。このゲイン調整は、入力信号のレベルをＡＤ変換器が許容するレベル範囲に適合させるために行う。また、Ｄ入力２１は適宜のディジタルＩ／Ｏで構成され、ディジタルオーディオ信号を取り込む。
入力パッチ２２は、所定の複数（この実施例では２４個）の各入力ｃｈ毎に、複数のＡ入力２０乃至Ｄ入力２１のうちの何れか１つの入力ポートを選択し、該選択された入力ポートと当該入力ｃｈを結線するモジュールである。ユーザは、この入力パッチ２２により各入力ｃｈに対して任意の１つの入力ポートの信号を割り当てる。入力パッチ２２における各入力ｃｈと入力ポートの結線を示すデータは「パッチデータ」としてフラッシュメモリ２或いはＲＡＭ３等適宜のメモリに保管される。
２４個の入力ｃｈ２３では、各入力ｃｈ毎に設定されている各種パラメータ設定に基づき信号処理を行い、当該入力ｃｈが受け取るディジタル信号の特性やレベルを調整する。各入力ｃｈから出力される信号は、所定の複数のミキシングバス（この例では、１つのステレオバス（ＳＴバス）２４と８つのミキシングバス（ＭＩＸバス）２５）のうちの所望のバスに送出される。各入力ｃｈから出力された信号は、送出先のＳＴバス２４乃至ＭＩＸバス２５で、各入力ｃｈ毎の信号出力レベルに応じたミキシング比でミキシング処理された後、各バスに対応する出力ｃｈに供給される。図の例では、出力ｃｈとして、ＳＴバス２４に対応する１つのＳＴ出力ｃｈ２６と、８つのＭＩＸバス２５の各々に対応する８つの出力ｃｈ２７が具わる。ＳＴ出力ｃｈ２６乃至各出力ｃｈ２７では、各チャンネル毎に設定されている各種パラメータ設定に基づき信号処理を行い、供給されたディジタル信号の特性やレベルが調整される。
出力パッチ２８は、アナログ出力ポート（Ａ出力）２９又はディジタル出力ポート（Ｄ出力）３０に対して１つの出力系チャンネル（ＳＴ出力ｃｈ２６，出力ｃｈ２７）を選択し、該選択された１つの出力系チャンネルとパッチ先となる出力ポートとを結線するモジュールである。出力パッチ２８により、或る１つの出力ポート（Ａ出力２９又はＤ出力３０）に対して任意の１つの出力系チャンネルの出力信号が割り当てて供給される。
ＳＴ出力ｃｈ２６や各出力ｃｈ２７から出力される各ディジタルオーディオ信号は、出力パッチ２８によりＡ出力２９及びＤ出力３０のうちのいずれかに割り当てられる。Ａ出力２９は、供給されたディジタル信号をＤＡ変換器によりアナログ信号に変換して、アナログオーディオ信号を出力する。また、Ｄ出力３０は、適宜のディジタルＩ／Ｏで構成され、ディジタルオーディオ信号を出力する。
【００１４】
図３（ｃ）は上記符号２３で示す入力チャンネルの信号処理構成の一例を詳細に示す図であって、同図では或る１つの入力チャンネルｉの構成を示している。入力チャンネルｉにおいて、信号の入力段から順に、アッテネータ（ＡＴＴ）３１、イコライザ（ＥＱ）３２、コンプレッサ（Ｃｏｍｐ）３３、音量フェーダ（Ｖｏｌ）３４の各信号処理モジュールが具備されている。アッテネータ３１は、入力ポート２２によって当該入力チャンネルｉに割り当てられたディジタルオーディオ信号のレベルを、当該入力ｃｈのアッテネータパラメータ設定値ＡＴ（ｉ）に基づき減衰又は増幅するレベル制御機構である。これは、入力ｃｈが受ける信号のレベルを後段に設けられたＥＱ３２等の効果を考慮して適切に調整するために設けられている。
ＥＱ３２は、当該入力ｃｈのＥＱパラメータの設定値に基づきアッテネータ３１の出力に対してイコライジングを行い、また、コンプレッサ３３は当該入力ｃｈのコンプレッサ設定に基づきＥＱ３２の出力に対してコンプレッサ効果を付与する。音量フェーダ３４は、当該入力ｃｈの音量パラメータＶｏｌ（ｉ）に基づき当該入力ｃｈ「ｉ」に割り当てられた信号の音量レベルを制御する。チャンネルのオン／オフスイッチ（ＣＨ＿ＯＮ）３５は、当該入力ｃｈのチャンネルのオン／オフパラメータＯＮ（ｉ）に基づき、音量フェーダ３４の出力信号のオン・オフの切り換えるもので、図２のＯＮスイッチ１６がこれに相当する。ＴＯ＿ＳＴ３６は、当該入力チャンネルｉの信号のステレオバス（ＳＴバス）２４に対する出力オン・オフを切り換えるスイッチである。入力チャンネルｉからステレオバス２４に出力される信号は、パン制御部（ＰＡＮ）３７にてパンパラメータの設定に基づきステレオバス２４の左右各バスラインに適宜分散して供給される。
プリ・ポストスイッチ（ＰＰ）３８は、音量フェーダ３４に入る前の信号（プリ）と量フェーダ３４を経由した信号（ポスト）との何れの信号をミキシングバス２５に送出するかを切り換える。ＰＰスイッチ３８の接点は、プリ・ポストスイッチパラメータＰｒｅ（ｉｊ）に応じて設定される。図の例ではミキシングバス２５に信号を送出するポイントがフェーダ３４の後（ポスト）に設定されている。センドレベル（ＳＮＤ＿Ｌ）３９は信号のミキシングバス２５へのセンドレベルをセンドレベルパラメータＳＬ（ｉｊ）に応じて設定する。また、センドオン／オフスイッチ（ＳＮＤ＿ＯＮ）４０は信号のミキシングバス２５への送出オン／オフを、センドオンパラメータＳＯＮ（ｉｊ）に応じて切り換える。ＰＰスイッチ３８以降のミキシングバス２５への信号送出経路は、複数のＭＩＸバス２５（この例では８個）のそれぞれに対応して装備されており、ユーザは各ＭＩＸバス毎に個別にＰＰスイッチ３８、センドレベル３９、センドオン／オフスイッチ４０の設定を行うことができる。上記のパラメータＰｒｅ（ｉｊ），ＳＬ（ｉｊ），ＳＯＮ（ｉｊ）における「ｊ」は信号の送出先となるＭＩＸバス２５の番号を示す。
【００１５】
図４は、図２に示す表示器６に表示される表示画面の一例であって、或る１つの入力ｃｈについてパラメータ設定を行うための「入力チャンネル画面」を示す。同図において入力チャンネル画面の上方に示された文字列「ＣＨ５」は、この入力チャンネル画面に第５入力ｃｈが呼び出されていることを示す。その左側の「ＳＥＬ」は当該入力チャンネル画面に呼び出すチャンネル番号を選択するための画面を展開するボタンであり、ユーザは所定の複数（この実施例では２４個）の入力ｃｈのうちの任意の入力ｃｈを当該画面に呼び出すことができる。入力チャンネル画面には、前記図３を参照して説明した各種信号処理モジュールのパラメータ設定を行う操作インターフェース（ボタン画像、ノブ型操作子画像、フェーダ画像等）が表示される。なお、同図では、ボタン画像の線の太さに応じて、当該ボタン画像に対応するスイッチのオン／オフ状態を表現している。
【００１６】
ヘッドアンプＨＡ（図３（ｂ）を参照）のセクションは、入力パッチによって当該入力ｃｈと結線されたアナログ入力ポート２０（図３（ａ）を参照）のヘッドアンプ２００に対応するもので、画面上では文字列「ＨＡ」の右隣の表示ボックス４１に入力源となった入力ポートの番号「Ａｉｎ１４」が表示される。ゲイン調整用ノブ画像４２は、図３（ｂ）のゲイン調整器２０１に対応する。レベルメータ４３には当該ＨＡの出力（ＡＤ変換前）のレベルが表示される。また、位相反転ボタン４４は入力信号の位相反転機能のオン／オフを切り換えるためのスイッチである。
アッテネータＡＴＴ（図３（ｃ）の符号３１）のセクションでは、ノブ画像４５を用いて当該入力ｃｈのアッテネータ値ＡＴ（ｉ）を設定し、当該入力ｃｈにパッチされた信号の入力レベルを制御しうる。同図においてアッテネータＡＴＴのセクションには、「ＡＧＡ」ボタン４６が具わる。「ＡＧＡ」ボタン４６は、この実施例に係る「オートゲインアジャスタ（AutoGainAdjuster）機能」のオン／オフを切り換えるスイッチである。「オートゲインアジャスタ機能」は、或るアナログ入力ポートのヘッドアンプＨＡのゲイン調整が行なわれた場合に、その入力ポートのパッチ先の入力ｃｈにおけるアッテネータＡＴＴの設定を、前記ゲイン調整によるレベル変化を打ち消す方向に自動調整する機能である。この「オートゲインアジャスタ機能」により、ＨＡのゲイン調整を行った場合であっても、当該入力ポートのパッチ先の入力ｃｈの入力段（アッテネータ）で該ゲイン調整によるレベル変化が相殺され、後段の信号処理では該ＨＡゲイン調整によるレベル変化の影響を受けない。従って、ＳＴバス２４乃至ＭＩＸバス２５における各入力ｃｈの信号のミキシング比は変化しないない。「オートゲインアジャスタ機能」の詳細な動作については後述する。
【００１７】
また、ＥＱ（図３（ｃ）の符号３２）とＣＯＭＰ（図３（ｃ）の符号３３）の各セクションには、それぞれのエフェクタ（機能）のオン／オフ切り換えスイッチと、出力レベル或いは当該エフェクタの効き具合を表示するレベルメータ、エフェクタの特性のグラフ表示とが具わる。特性のグラフをクリックすると、各エフェクトの詳細な設定画面が展開される。ＳＥＮＤ（ミックスセンド）のセクションには、複数のＭＩＸバス（この例では８系統）の各々に対応するセンド機能設定ツールが表示されており、各センド毎に、センドレベル調整（図３（ｃ）のＳＮＤ＿Ｌ３９）用のノブ画像、プリ・ポスト（図３（ｃ）のＰＰ３８）切り換えボタン、センドオン／オフ（図３（ｃ）のＳＮＤ＿ＯＮ４０）切り換えボタンが用意されている。また、ＰＡＮ（図３（ｃ）の符号３７）セクションにはパンパラメータ設定用のノブ画像が表示されており、その右側にはステレオバス２４への出力オン・オフ切り換え用の「ＴＯ＿ＳＴ」ボタン画像（図３（ｃ）の符号３６が表示されている。また、右端に表示されたフェーダ操作子画像は、図３（ｃ）の音量フェーダ３４に対応するもので、当該入力ｃｈの音量パラメータＶｏｌ（ｉ）を調整する。また、このフェーダ操作子画像の表示位置は、当該入力ｃｈが割り当てられたチャンネルストリップＣＨの物理操作子（電動フェーダ８）に連動して変化する。フェーダ操作子画像の上側にあるレベルメータには当該入力ｃｈのフェーダ３４の出力信号の音量レベルが表示される。なお、このレベル検出位置は、音量フェーダ３４の前又は後、ＥＱ３２の前等、ユーザが任意に選択できても良い。また、フェーダ操作子画像の下側には当該入力ｃｈルのオン／オフ（ＣＨ＿ＯＮ３５）切替用のボタン、ＣＵＥ機能のオン／オフ用の「ＣＵＥ」ボタン（図２のＣＵＥスイッチ１７に対応）が表示される。
なお、表示器６には、図４に示す「入力チャンネル画面」の他にも、当該ディジタルミキサが有する機能に応じた種々の表示画面を表示できる。その他の表示画面には、例えば、入力ポートのヘッドアンプＨＡゲインの調整モジュールをパッチ先の入力ｃｈ毎に一覧表示する画面や、各入力ｃｈのアッテネータＡＴＴ調整モジュールを一覧表示する画面等がある。
【００１８】
次にこの実施例に係るオートゲインアジャスタ機能（自動調整機能）の動作について、図５（ａ），（ｂ）に示すフローチャートを参照して説明する。（ａ）は或る入力ポートｋのＨＡゲインの操作（例えば図４の入力チャンネル画面のＨＡゲイン調整用ノブ画像４２の操作や操作パネル上の物理操作子の操作等）に応じて実行される動作手順の一例を示す。また、この入力ポートｋのパッチ先には或る入力チャンネルｉが選択されているものとする。
入力ポートｋのＨＡゲインが操作されると、ステップＳ１において、ユーザによって行なわれた操作量に応じて、カレントメモリ領域における当該入力ポートｋのＨＡゲイン値ＩＰＧ（ｋ）の値を更新する。これによりＨＡゲイン操作に応じたゲイン調整がＤＳＰ４の信号処理に反映される。ステップＳ２において、当該入力ポートｋについてパッチ先の入力ｃｈの有無を調べ、パッチ先が設定されていなければ（ステップＳ２のｎｏ）、当該処理を終了する。ここで、或る入力ポートに対して複数の入力ｃｈがパッチ先に指定されていることがある（但し、１つの入力ｃｈに対して結線できるのは１つの入力ポートだけである）。当該入力ポートｋにパッチ先の入力ｃｈが設定されている場合（ステップＳ２のｙｅｓ）は、パッチ先に設定された全てのチャンネルに対して以下に述べるステップＳ４〜Ｓ６の処理を行う。
ステップＳ３では、当該入力ポートｋについてのパッチデータに基づきパッチ先に指定されたチャンネルのチャンネル番号をチャンネル変数（ｉ）にセットする。複数の入力ｃｈがパッチ先に指定されている場合は、例えばチャンネル番号が若いものから順に前記チャンネル変数にセットする。ステップＳ４では、チャンネル変数（ｉ）にセットされた第ｉ入力ｃｈについて「オートゲインアジャスタ機能」のオン／オフ設定パラメータＡＧＡ（ｉ）を調べる。ＡＧＡ（ｉ）は“１”でＡＧＡ機能のオン、“０”で該機能のオフを示すものとする。ＡＧＡ（ｉ）の値は、上記図４の入力チャンネル画面におけるアッテネータＡＴＴセクションの「ＡＧＡ」ボタン４６のオン／オフ状態に応じて設定される。ＡＧＡ機能がオンに設定されていれば（ステップＳ４のｙｅｓ）、ステップＳ５において、当該第ｉ入力ｃｈと結線された入力ポートｋの当該入力ポートｋのＨＡゲイン値ＩＰＧ（ｋ）の変化量（前記ステップＳ１におけるＩＰＧ（ｋ）の変化量）に応じて、カレントメモリ領域における当該第ｉ入力ｃｈのアッテネータの値ＡＴ（ｉ）を更新する。ＡＴ（ｉ）の値の更新は、対応するＩＰＧ（ｋ）の変化量を打ち消す方向に値を変化させる動作である。更新動作の具体的な例としては、例えば、対応するＩＰＧ（ｋ）が“＋１ｄＢ”された場合には、ＡＴ（ｉ）の値は“−１ｄＢ”される等である。ステップＳ６において、パッチ先に指定されている入力ｃｈが複数ある場合には、次の入力ｃｈの番号をチャンネル変数（ｉ）にセットする。なお、ステップＳ４において、当該入力ｃｈ（ｉ）のＡＧＡ機能がオフであれば（ステップＳ４のｎｏ）ステップＳ６に処理が進む。そして、ステップＳ７において、チャンネル変数（ｉ）の値から、パッチ先に指定されている未処理の入力ｃｈの有無を調べて、まだ入力ｃｈがれば（ステップＳ７のｙｅｓ）ステップＳ４に戻る。これによりパッチ先に指定された全ての入力ｃｈについてステップＳ４〜Ｓ６の処理を行う。
以上の処理により、或る入力ポートｋのパッチ先に選択された全ての入力ｃｈのうちＡＧＡ機能がオンになっている入力ｃｈのアッテネータ設定値が、入力ポートｋのＨＡゲインの変化量に応じて自動調整される。
【００１９】
図５（ｂ）は或る第ｉ入力ｃｈのアッテネータの操作に応じて実行される動作手順の一例を示す。アッテネータの操作は、表示器６に立ち上げた表示画面や操作パネル上の物理操作子を用いて行いうる。第ｉ入力ｃｈのアッテネータが操作されると、その操作量に応じて、カレントメモリ領域における当該第ｉ入力ｃｈのアッテネータ値ＡＴ（ｉ）の値が更新される（ステップＳ８）。
ここで、当該第ｉ入力ｃｈのＡＧＡ機能がオンに設定されていれば、ＡＴ（ｉ）の値は、第ｉ入力ｃｈと結線された入力ポートｋのＨＡゲインの変化量に応じて自動調整されている（上記ステップＳ５）。従って、その自動調整結果のＡＴ（ｉ）がアッテネータ操作時の初期値となる。ＡＧＡ機能によってＡＴ（ｉ）が自動調整されている場合、見かけ上はＡＴ（ｉ）の値に応じて、アッテネータレベルが変化されているが、自動調整の結果は、以前のＡＴ（ｉ）の値に対してＨＡゲインの変化量に応じたオフセットをしているだけなので、実質的（聴覚的）には以前のＡＴ（ｉ）の設定値を初期値とするレベル感覚でアッテネータの操作ができる。なお、当該第ｉ入力ｃｈのＡＧＡ機能がオンであっても、或る第ｉ入力ｃｈのアッテネータ操作が行なわれても、当該第ｉ入力ｃｈをパッチ先とする入力ポートのＨＡゲインは変化しない。
【００２０】
なお、ディジタルミキサにおいて、ユーザは、２つの入力ｃｈをペアに組み、該ペアを組んだチャンネル同士で一部のパラメータを連動させる機能（ペア機能）が知られている。ペア機能は、例えば、モノラルの入力チャンネルをペア化して、２チャンネルステレオ構成のオーディオ信号の各チャンネル毎の信号を、ペアに組んだチャンネルの各々に分散して供給し、該ペアに組んだチャンネルでステレオ操作する場合等に使用される。また、ユーザは、ペアを組んだチャンネル同士で連動させるパラメータを適宜選択することができる。
第ｉ入力ｃｈのアッテネータ設定パラメータが別の入力ｃｈのアッテネータとペアに設定されていた場合には、当該第ｉ入力ｃｈのＡＧＡ機能がオンに設定されると、そのペアが強制解除されるものとする。また、当該第ｉ入力ｃｈのＡＧＡ機能がオフされると、アッテネータ設定パラメータのペア状態を、ＡＧＡ機能オン以前の状態に戻す、すなわち、ＡＧＡ機能オンに応じてペアが強制解除されたのであればペアを復帰させ、そもそもペアに設定されていなければそのままの設定である。
【００２１】
図６は、シーンリコール時の動作手順の一例を示すフローチャートである。シーンリコールスイッチ１３ｃ（図２参照）がユーザによって操作されると、図６のステップＳ１０において、ユーザによって選択された或るシーンＳに対応するたシーンデータ（当該シーンＳの各種動作データ）がシーンメモリ領域から読み出される。読み出されたシーンデータはＲＡＭ３に設けられたワークメモリに一時的に保管される。ステップＳ１１では、カレントメモリ領域の内容がＤＳＰ４の信号処理に反映されないようロックする。各シーンデータには様々な動作データが含まれている。シーンリコール時には、当該シーンＳに含まれる全ての動作データが一斉に有効にならなければならない。そのため、シーンリコール時には、まずカレントメモリ領域をロック（前記ステップＳ１１）しておき、該カレントメモリ領域の内容が信号処理部の処理に反映されないようにしてから、以下に述べるステップＳ１２以降の処理によりカレントメモリ領域に対する当該シーンＳの動作データの順次書き込みを行う。そして、書き込みが完了した時点でカレントメモリ領域をアンロックすることで、カレントメモリ領域の内容をＤＳＰ４の処理に反映させる。
なお、ユーザは、シーンリコール時に、リコール対象となる動作データに対してリコールセーフ設定を行うことができる。セーフ設定されている動作データは、リコールされず（上書きされず）リコール以前の設定を使用できる。動作データのリコールセーフは、各入力ｃｈ及び各出力ｃｈの各信号処理モジュール（ＨＡモジュール、ＡＴＴモジュール、ＥＱモジュール、ＣＯＭＰモジュール、音量フェーダモジュール、ＳＥＮＤモジュール）毎に設定できる。また、入出力ｃｈに属さないその他の信号処理モジュール（ＤＣＡ、エフェクタ、ＧＥＱなど）についてもそれぞれ個別にセーフ設定できる。
【００２２】
ステップＳ１２では、読み出されたシーンデータのパッチリンクデータを確認する。シーンデータには、パッチデータ（パッチの動作データ）自体は含まれておらず、特定のパッチデータにリンクするための「パッチリンクデータ」が入っている。読み出されたシーンデータにパッチリンクデータがある場合には（ステップＳ１２のｙｅｓ）、ステップＳ１３において、パッチリンクデータに基づきリンク先のパッチデータをコピーして、カレントメモリ領域にこれを書き込む。なお、ここで、読み出されたシーンＳにおいて、パッチが変更された入力ｃｈについては、リコール前のレベルを保つ意味がないので、その入力ｃｈのＡＧＡ機能がオンであってもＡＧＡ機能は働かない。
【００２３】
ステップＳ１４において、読み出されたシーンデータから各入力ｃｈのＡＧＡ（オートゲインアジャスタ）の動作データ（オン／オフ設定パラメータ）をコピーして、カレントメモリ領域に書き込む。ここでリコールされたＡＧＡの設定は以下の処理に反映される。すなわち、ＡＧＡがオンの入力ｃｈでは、パッチされた入力ポートのＨＡゲインが調整された場合、ＡＧＡ機能により該ゲイン調整に応じてアッテネータＡＴの値が自動調整される。なお、ＡＧＡの動作データは常時セーフされない動作データとする。
【００２４】
ステップ１５では、ＨＡモジュールがリコールセーフ設定されていない入力ｃｈについて、その入力ｃｈにパッチされているアナログ入力ポートのＨＡゲイン値ＩＰＧを読み出されたシーンデータからコピーして、カレントメモリ領域に書き込む。
ここで、当該入力ｃｈのＡＧＡがオンの場合には、前記図５（ａ）のフローチャートのステップＳ３以降の処理が実行され、その入力ｃｈのアッテネータ値ＡＴとして、前記シーンデータからコピーされたＩＰＧの変化に応じて自動調整された値ＡＴ´がカレントメモリ領域に書き込まれる。その入力ｃｈにパッチされているアナログ入力ポートが複数の入力ｃｈにパッチされている場合には、該複数の入力ｃｈの各々のアッテネータ値ＡＴがＩＰＧの変化に応じて自動調整されることになる。一方、当該入力ｃｈのＡＧＡがオフの場合には、この段階では当該入力ｃｈのアッテネータ値ＡＴには関わらない。なお、ＨＡモジュールがリコールセーフ設定されている入力ｃｈでは、ＨＡゲイン値ＩＰＧの値はリコール前の状態が維持される。
このように、ステップＳ１４において先に各入力ｃｈ毎のＡＧＡ機能のオン／オフを設定してから、ステップＳ１５において各入力ｃｈのＨＡゲインのリコール動作を行なうので、該ＨＡゲインのリコール動作に対してＡＧＡ機能を働かせることができる。
【００２５】
ステップＳ１６において、ＡＴＴモジュールがリコールセーフ設定されていない入力ｃｈについてアッテネータの値ＡＴを読み出されたシーンデータからコピーして、カレントメモリ領域に書き込む。したがって、ＡＴＴモジュールがリコールセーフ設定されていない場合には、上記ステップ１５においてＡＧＡ機能によって自動調整された値ＡＴ´は当該シーンデータのアッテネータ値ＡＴよって上書きされることになる。すなわち、シーンデータとしてリコールされたアッテネータ値ＡＴは、ＡＧＡ機能によって自動調整された値ＡＴよりも優先される。一方、ＡＴＴモジュールがリコールセーフ設定されている場合であれば、当該入力ｃｈのＡＧＡがオンの場合には、上記ステップステップ１４においてＡＧＡ機能によって自動調整された値ＡＴ´が採用される。当該入力ｃｈのＡＧＡがオフの場合には、リコール以前のアッテネータ値ＡＴが維持されることになる。
【００２６】
上記ステップＳ１５とＳ１６で行なわれた動作についてまとめると下記の通りである。
（１）ＨＡモジュールもＡＴＴモジュールもリコールセーフ設定されていない場合には、ＨＡゲイン値ＩＰＧとアッテネータ値ＡＴはシーンデータに従い設定される。
（２）ＨＡモジュールがリコールセーフ設定されている場合には、ＨＡゲイン値ＩＰＧはセーフされ、アッテネータ値ＡＴはシーンデータに従い設定される。
（３）ＡＴＴモジュールがリコールセーフ設定されている場合には、ＨＡゲイン値ＩＰＧはシーンデータに従い設定される。ＡＧＡ機能がオンの場合には、前記シーンデータに従い設定されたＩＰＧの変化量に応じてアッテネータ値ＡＴが自動調整される。
（４）ＨＡモジュールもＡＴＴモジュールもリコールセーフ設定されている場合には、ＨＡゲイン値ＩＰＧとアッテネータ値ＡＴともリコール前の値を維持する。
従って、（３）の場合に、ＡＧＡ機能がオンされていれば、ＡＧＡ機能を使ったシーンリコールを行うことができるようになる。
【００２７】
ステップＳ１７では、その他の全ての要素（入出力ｃｈ、その他各種モジュール）についてリコールセーフ設定されていない動作データをシーンデータからコピーして、カレントメモリ領域に書き込む。そして、ステップＳ１８において、カレントメモリ領域に対する当該シーンの全ての動作データの書き込みが完了した時点でカレントメモリ領域をアンロックすることで、カレントメモリ領域の内容をＤＳＰ４の処理に反映させる。これにより、リコールしたシーンデータの全ての動作データが当該ミキサにおいて一斉に有効になり、或るシーンＳのミキシング状態を再現することができる。
【００２８】
以上説明した通り、この実施例によれば、ＡＧＡ機能により、或るアナログ入力ポートのＨＡゲインを調整した場合に、該入力ポートのパッチ先の入力ｃｈのアッテネータ値ＡＴを該ＨＡゲインの調整を打ち消すよう自動調整することで、入力ポートと入力ｃｈを入力パッチによって結線する構成のディジタルミキサにおいて、入力ポートのＨＡゲインを調整した場合にも各入力ｃｈの信号のミキシング比に影響をあたえることがなくなるという優れた効果を奏する。
【００２９】
なお、上記実施例では図４に示す入力チャンネル画面において、当該画面に呼び出した入力ｃｈについてＡＧＡ機能のオン／オフを設定するボタン４６が具備される例を挙げたが、ＡＧＡ機能のオン／オフ切り換えは、図２の操作パネル上に設けられた物理スイッチを用いて指示できても良い。例えば、図２において各チャンネルストリップＣＨに具わるオン／オフスイッチ１６を各入力ｃｈ毎のＡＧＡ機能のオン／オフ切り換えに使用できてよい。この場合、各チャンネルストリップＣＨに割り当てられた入力ｃｈ毎にＡＧＡ機能のオン／オフを設定できる。
【００３０】
ＡＧＡ機能のオン／オフの効果的な使用方法について、以下に述べる。
先ず、或る入力ポートに対して、マイクなど信号入力機器が接続されたときに、当該入力ポートのＨＡゲインを調整してから、各入力ｃｈでＡＧＡ機能をオンにする。そして、ミキシング処理を開始する。なお、ここで、入力ｃｈのアッテネータを操作しても、その入力ｃｈをパッチ先としている入力ポートのＨＡゲインは変化しない。各入力ｃｈでＡＧＡ機能をオンに設定することで、以降、入力ポートのＨＡゲインを変更したとしても、そのパッチ先の各入力ｃｈのアッテネータが自動調整されるので、ユーザがパッチ先の各入力ｃｈのアッテネータを操作しなくても、該パッチ先の各入力ｃｈにおいては信号処理に使う信号のレベル（アッテネータの出力のレベル）を一定レベルに固定しておくことができる。従って、各入力ｃｈにＡＧＡ機能オン／オフを具えることは非常に有益である。
【図面の簡単な説明】
【００３１】
【図１】この発明の一実施例に係るディジタルミキサの電気的ハードウェア構成例を示すブロック図。
【図２】同実施例に係るディジタルミキサの操作パネルの一部を抽出して示す外観概略図。
【図３】（ａ）同実施例に係るディジタルミキサにおける信号処理構成の概要を示す機能ブロック図、（ｂ）同実施例に係るディジタルミキサのアナログ入力ポートの詳細構成を示す図、（ｃ）同実施例に係るディジタルミキサの或る入力チャンネルｉの詳細構成を示す図。
【図４】同実施例に係るディジタルミキサの表示器に表示される表示画面の一例を示す図。
【図５】同実施例に係るオートゲインアジャスタ機能の動作であって、（ａ）はＨＡゲインの操作に応じて実行される動作手順の一例を示すフローチャート、（ｂ）はアッテネータの操作に応じて実行される動作手順の一例を示すフローチャート。
【図６】同実施例に係るシーンリコール動作手順の一例を示すフローチャート。
【符号の説明】
【００３２】
１  ＣＰＵ、２  フラッシュメモリ、３  ＲＡＭ、４  信号処理回路（ＤＳＰ）、５  波形Ｉ／Ｏ、６  表示器、７  各種操作子、８  電動フェーダ、９  レベルメータ、１０  ＥｔｈｅｒｎｅｔＩ／Ｏ、１１  その他Ｉ／Ｏ、２０  アナログ入力ポート、２２  入力パッチ、２３  入力チャンネル、２４  ステレオバス  ２５  ミキシングバス、２００  ヘッドアンプ、２０１  ゲイン調整器、２０２  ＡＤ変換器、３１  アッテネータ（ＡＴＴ）、４６  ＡＧＡボタン
【図１】
0004645347.tif 000002
【図２】
0004645347.tif 000003
【図３】
0004645347.tif 000004
【図４】
0004645347.tif 000005
【図５】
0004645347.tif 000006
【図６】
0004645347.tif 000007